(57)【要約】【課題】タッチパネルの操作受付部が視認不可能な状況下であっても正確な操作を行うことができ、かつ表示装置が視認可能な状態では表示が見にくくなることを防止しつつ、省電力化を図る。【解決手段】撮像装置１００は、ＬＣＤパネル４１とタッチパネル４２とを含む可動式表示装置４０と、使用者がタッチパネル４２の操作受付部を視認可能な状態か否かを判定する判定部として機能するシステム制御部５０と、タッチパネル４２の操作受付部の位置を触感によって検知可能にする触感発生部４５とを有し、触感発生部４５は、判定部による判定の結果に基づいて作動または停止する。【選択図】図４
2015170209.tif 000002
【特許請求の範囲】
【請求項１】
画像表示パネルとタッチパネルとを含む表示装置を備える表示制御装置であって、
使用者が前記タッチパネルの操作受付部を視認可能な状態か否かを判定する判定部と、
前記タッチパネルの前記操作受付部の位置を感知可能な刺激を発生させる触感発生部と、
前記判定部による判定の結果に基づいて、前記触感発生部を作動または停止させる制御部と、
を有することを特徴とする表示制御装置。
【請求項２】
前記判定部は、前記画像表示パネルの表示が停止している場合に、使用者が前記タッチパネルの前記操作受付部を視認不可能な状態であると判定し、
前記制御部は、前記判定部によって前記画像表示パネルの表示が停止していると判定された場合に、前記触感発生部を作動させることを特徴とする請求項１に記載の表示制御装置。
【請求項３】
前記判定部は、前記画像表示パネルの光源が消灯している場合に、使用者が前記タッチパネルの前記操作受付部を視認不可能な状態であると判定し、
前記制御部は、前記判定部によって前記画像表示パネルの表示が停止していると判定された場合に、前記触感発生部を作動させることを特徴とする請求項１に記載の表示制御装置。
【請求項４】
前記触感発生部は、前記タッチパネルの操作面の任意の位置に触感を出現させられることを特徴とする請求項１から３のいずれか１項に記載の表示制御装置。
【請求項５】
使用者が被写体像を確認できるファインダーと、
使用者が前記ファインダーに接眼したことを検出する接眼検出部と、
をさらに有し、
前記判定部は、前記接眼検出部により使用者が前記ファインダーに接眼したことを検出された場合には、前記タッチパネルの前記操作受付部が使用者により視認不可能な状態であると判定し、
前記触感発生部は、前記タッチパネルの前記操作受付部が使用者により視認不可能な状態であると判定された場合に作動することを特徴とする請求項１から４のいずれか１項に記載の表示制御装置。
【請求項６】
前記ファインダーからの入射光を防ぐ機能を持つアイピースシャッターをさらに備え、
前記アイピースシャッターが閉じられており、かつ、前記判定部により使用者が前記タッチパネルの前記操作受付部を視認可能な状態であると判定された場合に、前記触感発生部は停止することを特徴とする請求項５に記載の表示制御装置。
【請求項７】
ライブビュー撮影中であり、前記判定部により使用者が前記タッチパネルの前記操作受付部を視認可能な状態であると判定された場合に、前記触感発生部は停止することを特徴とする請求項１から６のいずれか１項に記載の表示制御装置。
【請求項８】
再生モードに設定されており、前記判定部により使用者が前記タッチパネルの前記操作受付部を視認可能な状態であると判定された場合に、前記触感発生部は停止することを特徴とする請求項１から７のいずれか１項に記載の表示制御装置。
【請求項９】
前記触感発生部は、前記タッチパネルの前記操作受付部に対応する位置の表面の形状を部分的に変化させることにより、前記操作受付部を認識できるようにすることを特徴とする請求項１から８のいずれか１項に記載の表示制御装置。
【請求項１０】
前記触感発生部は、前記タッチパネルの前記操作受付部またはその周辺の位置がタッチされると、前記タッチパネルを振動させることを特徴とする請求項１から８のいずれか１項に記載の表示制御装置。
【請求項１１】
前記触感発生部は、前記タッチパネルの前記操作受付部またはその周辺の位置がタッチされると、使用者に電気的刺激を与えることを特徴とする請求項１から８のいずれか１項に記載の表示制御装置。
【請求項１２】
画像表示パネルおよびタッチパネルを含む可動式表示装置と、前記可動式表示装置の収納状態を検出する状態検出部と、を備えた表示制御装置であって、
使用者が前記タッチパネルの操作受付部を操作可能な状態か否かを判定する判定部と、
前記タッチパネルの前記操作受付部の位置を感知可能な刺激を発生させる触感発生部と、
を備え、
前記可動式表示装置の前記タッチパネルが視認不可能な状態に収納されていると前記検出部により検出され、使用者が前記タッチパネルの操作受付部を操作不可能な状態であると前記判定部により判定された場合には、前記触感発生部は停止することを特徴とする表示制御装置。
【請求項１３】
前記触感発生部は、前記タッチパネルの前記操作受付部に対応する位置の表面の形状を部分的に変化させることにより、前記操作受付部を認識できるようにすることを特徴とする請求項１２に記載の表示制御装置。
【請求項１４】
前記触感発生部は、前記タッチパネルの操作受付部またはその周辺の位置がタッチされると、前記タッチパネルを振動させることを特徴とする請求項１２に記載の表示制御装置。
【請求項１５】
前記触感発生部は、前記タッチパネルの操作受付部またはその周辺の位置がタッチされると、使用者に電気的刺激を与えることを特徴とする請求項１２に記載の表示制御装置。
【請求項１６】
画像表示パネルとタッチパネルとを含む表示装置を備える表示制御装置の制御方法であって、
前記タッチパネルの操作受付部が使用者に視認可能な状態か否かを判定する判定ステップと、
前記判定ステップにおける判定の結果に基づいて、前記タッチパネルの前記操作受付部の位置を感知可能な刺激を発生させる触感発生部を作動または停止させる制御ステップと、
を有することを特徴とする表示制御装置の制御方法。
【発明の詳細な説明】
【技術分野】
【０００１】
本発明は、表示制御装置および表示制御装置の制御方法に関する。特には、表示パネルとタッチパネルとを備えた表示制御装置およびこの表示制御装置の制御方法に関する。
【背景技術】
【０００２】
デジタルカメラやビデオカメラ等の撮像装置には、液晶表示装置等の表示装置が設けられるものがある。このような表示装置には、小型化や操作性の向上と、表示画像の視認性の向上のため、画像表示パネルの表面に透明なタッチパネル等の接触検出センサーが重ねて設けられるものがある。そして、このような表示装置において、タッチパネルの操作箇所を視認することなく正確に操作するための構成が提供されている。特許文献１には、タッチパネルが設けられた表示装置に表示されたボタンの操作状況を使用者が容易かつ明確に認識できるようにするため、タッチパネルの表面形状を部分的に変化させる構成が開示されている。
【先行技術文献】
【特許文献】
【０００３】
【特許文献１】特開２００６−２８５７８５号公報
【発明の概要】
【発明が解決しようとする課題】
【０００４】
しかしながら、特許文献１に記載の構成では、タッチパネルの操作箇所を使用者が視認可能か否かの判定を行っていない。そのため、特許文献１の記載の構成では、使用者がタッチパネルを視認可能な状態でも、タッチパネルの表面形状を変化させてしまう場合がある。その結果、画面表示が見にくくなってしまう。さらに不必要な場合でも表面形状の変化を維持する場合があり、電力消費が増大してしまう。本発明の目的は、タッチパネルの操作箇所を視認不可能な状況下であっても正確な操作を行うことができ、表示装置が視認可能な状態では表示が見にくくなることがなく、省電力を図ることができる表示制御装置を提供することである。
【課題を解決するための手段】
【０００５】
上記目的を達成するために、本発明は、画像表示パネルとタッチパネルとを含む表示装置を備える表示制御装置であって、使用者が前記タッチパネルの操作受付部を視認可能な状態か否かを判定する判定部と、前記タッチパネルの前記操作受付部の位置を感知可能な刺激を発生させる触感発生部と、前記判定部による判定の結果に基づいて、前記触感発生部を作動または停止させる制御部と、を有することを特徴とする。
【発明の効果】
【０００６】
本発明によれば、タッチパネルの操作箇所を視認不可能な状況下であっても正確な操作を行うことを可能とし、かつ表示装置が視認可能な状態では表示が見にくくなることがなく、省電力な撮像装置を提供することができる。
【図面の簡単な説明】
【０００７】
【図１】第１実施形態の撮像装置の構成例を示す外観斜視図である。
【図２】第１実施形態の可動式表示装置を開いた状態を示した背面図である。
【図３】第１実施形態の撮像装置の構成例を示すブロック図である。
【図４】第１実施形態のタッチパネルに出現する凸形状とファインダー内のＡＦ測距点を示した図である。
【図５】第１実施形態のタッチパネルに出現する凸形状を示す図である。
【図６】第１実施形態のタッチパネルに出現する図５とは異なる凸形状の断面を示した図である。
【図７】第１実施形態の処理の例を示したフローチャートである。
【図８】第１実施形態のタッチパネルに出現する凸形状の位置を示した図である。
【図９】第２実施形態の処理の例を示したフローチャートである。
【発明を実施するための形態】
【０００８】
以下に、本発明の各実施形態を、添付の図面に基づいて詳細に説明する。なお、以下に示す各実施形態では、表示制御装置の適用例として撮像装置を示す。ただし、本発明は撮像装置への適用に限定されるものではなく、画像表示パネルとタッチパネルとを含む表示装置を制御する表示制御装置であれば適用できる。
【０００９】
（第１実施形態）
図１（ａ）（ｂ）は、第１実施形態に係る表示制御装置の適用例である撮像装置１００の外観図を示す。図１（ａ）は撮像装置１００の前面斜視図であり、図１（ｂ）は撮像装置１００の背面斜視図である。図２は、撮像装置１００の可動式表示装置４０を開状態にした背面図である。
【００１０】
撮像装置１００の背面側には、可動式表示装置４０と、背面カバー１９と、ファインダー１６と、接眼検出部１８とが設けられる。
可動式表示装置４０は、画像や各種情報を表示可能である。可動式表示装置４０は、画像表示パネルの例であるＬＣＤパネル４１と、ＬＣＤパネル４１と一体に構成されたタッチパネル４２と、ＬＣＤパネル４１の光源であるバックライト４９（図３参照）を含んで構成される。タッチパネル４２は、その表面が操作面である入力デバイスである。タッチパネル４２は、使用者により操作面がタッチされると、タッチされた位置に対応する座標情報を出力する。そして、タッチパネル４２は、ＬＣＤパネル４１に重ね合わせて平面的に構成される。タッチパネル４２は、その内部に公知の技術である触感発生部４５（図３参照）を備えている。触感発生部４５は、タッチパネル４２を操作する使用者に触感を知覚させる。触感発生部４５は、例えばＬＣＤパネル４１の表示領域に対応して区分けされた複数のセルと、これらの複数のセルを磁力によって前面に駆動する駆動装置などを有する。そして、触感発生部４５は、タッチパネル４２の表面（操作面）の形状を部分的に変化させ、使用者に触感（感知可能な刺激）を知覚させることができる。なお、画像表示パネルはＬＣＤパネル４１に限定されるものではなく、公知の各種画像表示パネルが適用できる。
また、可動式表示装置４０は、撮像装置１００の本体に、ヒンジ部４３によって、左右開閉方向および上下反転方向の２軸に回転可能に支持されている。
【００１１】
背面カバー１９には、収納面４４が設けられる。具体的には、背面カバー１９には凹形状が形成されており、この凹形状の底部が収納面４４となる。収納面４４は、可動式表示装置４０が収納された状態において、ＬＣＤパネル４１の表示面と対向する。さらに、背面カバー１９には係止爪４７が設けられ、収納面４４には弾性部材４８が設けられている。係止爪４７は、可動式表示装置４０が背面カバー１９に収納されるときに係止することが可能である。可動式表示装置４０が背面カバー１９に収納され、係止爪４７により係止される状態となると、弾性部材４８は可動式表示装置４０が接触して圧縮状態となる。そしてこの状態では、弾性部材４８は、可動式表示装置４０を係止爪４７の側に向けて付勢する。
【００１２】
収納面４４の一側（本実施形態では上側）には、ファインダー１６が設けられる。使用者は、ファインダー１６を覗くことによって、ペンタプリズム１４（図３参照）を介してフォーカシングスクリーン１３を観察して、レンズユニット１５０を通して得た被写体像の焦点や構図の確認を行うことができる。
ファインダー１６の近傍（本実施形態ではファインダー１６の上側）には、接眼検出部１８が設けられる。接眼検出部１８は、使用者がファインダー１６を覗いている（接眼している）ことを検出するセンサーである。
【００１３】
また、撮像装置１００には、使用者からの操作を受け付ける操作部７０として、所定の操作部材が設けられる。操作部７０には、少なくともシャッターボタン６１と、モード切り替えダイヤル６０と、メイン電子ダイヤル７１と、電源スイッチ７２と、十字キー７４と、ＳＥＴボタン７５と、ＬＶボタン７６と、拡大ボタン７７と、再生ボタン７８とが含まれる。
【００１４】
このほか、撮像装置１００は、クイックリターンミラー（以下、ミラー１２と記す）や、カメラ側通信端子１０や、グリップ部９０や、蓋２０２などを有する。ミラー１２は、システム制御部５０（図３参照）からの指示により、アクチュエータを動作させることでアップダウンされる。カメラ側通信端子１０は、撮像装置１００の本体に設けられる通信端子である。撮像装置１００の本体は、カメラ側通信端子１０を介して、撮像装置１００の本体に着脱可能なレンズユニット１５０（図３参照）と通信を行う。グリップ部９０は、使用者が撮像装置１００を構えた際に右手で握りやすい形状とした保持部である。蓋２０２は、記録媒体２００を格納するスロットの蓋である。
【００１５】
次に、第１実施形態に係る撮像装置１００の機能構成について、図３を参照して説明する。図３は、第１実施形態による撮像装置１００の構成例を示すブロック図である。なお、図３においては、操作部７０の含まれる操作部材の一部を省略してある。
【００１６】
システム制御部５０は、撮像装置１００の全体を制御する。具体的には、システム制御部５０は、不揮発性メモリ５６に記録されたプログラムを読出し、システムメモリ５２に展開して実行することで撮像装置１００の全体を制御し、後述する各処理を実現する。また、システム制御部５０は、後述するメモリ３２、Ｄ／Ａ変換器２４、ＬＣＤパネル４１等を制御することにより、表示制御も行う。なお、システム制御部５０は、接眼検出部１８からの通知に応じて、ＬＣＤパネル４１が視認可能な状態にあるか視認不可能な状態にあるかを判定する（後述）。さらに、本実施形態においては、システム制御部５０は、触感発生部４５を制御する制御部としての機能を含む。
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。
システムメモリ５２には、例えばＲＡＭが用いられる。システムメモリ５２には、システム制御部５０の動作用の定数、変数、不揮発性メモリ５６から読み出したプログラム等を展開する。
【００１７】
接眼検出部１８は、使用者がファインダー１６を覗いていることを検出するためのセンサーである。接眼検出部１８は、ファインダー１６の近傍に設けられた赤外発光装置と、その反射光を検出する受光装置とを含んで構成されている。
【００１８】
パネル状態検出部５１は、可動式表示装置４０の開閉状態および位置を検出する。なお、可動式表示装置４０が撮像装置１００の本体から開閉方向に所定の角度以上開いた状態を開状態であるとし、それ以外の状態を閉状態であるとする。また、可動式表示装置４０が上下回転方向に所定の角度以上回転した状態を反転状態であるとし、それ以外の状態を正位置状態とする。なお、これらの所定の角度の具体的な値は特に限定されるものではなく、適宜設定される。
そして、可動式表示装置４０は、開状態、または、ＬＣＤパネル４１の表示面が背面側を向く姿勢で背面カバー１９には凹形状に収納されている状態であると、操作可能な状態となる。一方、可動式表示装置４０は、前記状態以外の状態であると、操作不可能な状態となる。例えば、操作不可能な状態としては、ＬＣＤパネル４１の表示面が撮像装置１００の背面カバー１９の収納面４４と対向する態様で収納されている状態が挙げられる。
そして、パネル状態検出部５１は、可動式表示装置４０の開閉状態と位置の検出結果を、システム制御部５０に出力する。システム制御部５０は、パネル状態検出部５１による検出結果に基づいて、可動式表示装置４０のタッチパネル４２が操作可能な状態であるか操作不可能な状態であるかを判定する（判定部）。
【００１９】
交換可能なレンズユニット１５０には、撮影レンズ１０３が搭載されている。撮影レンズ１０３は、一般的には複数枚のレンズから構成されるが、図３では簡略して一枚のレンズのみで示している。レンズ側通信端子６は、レンズユニット１５０に設けられる通信端子であり、レンズユニット１５０が撮像装置１００と通信を行うために用いられる。レンズユニット１５０は、このレンズ側通信端子６と、撮像装置１００のカメラ側通信端子１０を介して、システム制御部５０と通信する。そして、内部のレンズシステム制御回路４は、システム制御部５０の指示にしたがい、絞り駆動回路２を介した絞り１０２の制御と、ＡＦ駆動回路３を介したＡＦ動作（撮影レンズ１０３の位置を変位させることで焦点を合わせる動作）を実行する。
【００２０】
ＡＥセンサー１７は、レンズユニット１５０を通した被写体の輝度を測光する。
焦点検出部１１は、システム制御部５０にデフォーカス量情報を出力する。システム制御部５０は、それに基づいてレンズユニット１５０を制御し、位相差ＡＦを行う。
ミラー１２は、撮影レンズ１０３から入射した光束を、ファインダー１６側と撮像部２２側とに切り替える。ミラー１２は、露光、ライブビュー撮影、動画撮影の際に、システム制御部５０から指示に応じ、不図示のアクチュエータによりアップダウンされる。すなわち、ミラー１２は、通常時においてはファインダー１６へと光束を導くよう反射させるように配されている。そして、ミラー１２は、撮影が行われる場合やライブビュー撮影中の場合には、撮像部２２へと光束を導くように上方に跳ね上がり、光束中から待避する（ミラーアップ）。また、ミラー１２は、その中央部が光の一部を透過できるようにハーフミラーとなっており、光束の一部を、焦点検出を行うための焦点検出部１１に入射するように透過させる。
【００２１】
ファインダー内表示部２６は、フォーカシングスクリーン１３へＬＥＤ光を投光する装置である。ファインダー内表示部２６は、観察される被写体像に、測距点や測距エリアなどの情報を、ファインダー１６内に表示する（スーパーインポーズする）ことができる。
アイピースシャッター２１は、開閉可能なシャッターである。そして、アイピースシャッター２１は、ファインダー１６を用いず撮像する際に閉じることで、ファインダー１６からの入射光を防ぐ。なお、アイピースシャッター２１の開閉状態は、システム制御部５０に通知される。
シャッター１０１には、フォーカルプレーンシャッターが適用される。そして、シャッター１０１は、システム制御部５０の制御によって、撮像部２２の露光時間を自由に設定できる。
【００２２】
撮像部２２には、光学像を電気信号に変換するＣＣＤやＣＭＯＳ素子等で構成される撮像素子が適用される。そして撮像部２２は、アナログ信号を出力する。
Ａ／Ｄ変換器２３は、撮像部２２が出力するアナログ信号を、デジタル信号に変換する。
画像処理部２５は、Ａ／Ｄ変換器２３が出力したデジタル信号のデータ、または、メモリ制御部１５からのデータに対し、所定の画素補間、縮小といったリサイズ処理や色変換処理を行う。また、画像処理部２５は、撮像した画像データを用いて所定の演算処理を行い、システム制御部５０は、画像処理部２５の演算結果に基づいて、露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５は、さらに、撮像した画像データを用いて所定の演算処理を行い、得られた演算結果に基づいてＴＴＬ方式のＡＷＢ（オートホワイトバランス）処理を行う。
【００２３】
メモリ３２は、撮像部２２によって得られＡ／Ｄ変換器２３によりデジタルデータに変換された画像データや、ＬＣＤパネル４１に表示するための画像データを格納する。メモリ３２には、Ａ／Ｄ変換器２３が出力するデジタル信号のデータが、画像処理部２５およびメモリ制御部１５を介して、または、メモリ制御部１５を介して書き込まれる。メモリ３２は、所定枚数の静止画像や所定時間の動画像及び音声を格納するのに十分な記憶容量を備えている。また、メモリ３２は画像表示用のメモリ（ビデオメモリ）を兼ねている。
Ｄ／Ａ変換器２４は、メモリ３２に格納されている画像表示用のデータを、アナログ信号に変換してＬＣＤパネル４１に供給する。こうして、メモリ３２に書き込まれた表示用の画像データは、Ｄ／Ａ変換器２４を介してＬＣＤパネル４１により表示される。
【００２４】
ＬＣＤパネル４１は、Ｄ／Ａ変換器２４からのアナログ信号に応じた表示を行う。このように、Ａ／Ｄ変換器２３によって一度Ａ／Ｄ変換されメモリ３２に蓄積されたデジタル信号をＤ／Ａ変換器２４においてアナログ変換し、ＬＣＤパネル４１に逐次転送して表示する。これにより、ＬＣＤパネル４１は、電子ビューファインダーとして機能し、スルー画像表示（ライブビュー表示）を行える。
バックライト４９は、ＬＣＤパネル４１の光源である。バックライト４９が点灯していると、ＬＣＤパネル４１に画像が表示され、バックライト４９が消灯しているとＬＣＤパネル４１には画像が表示されない。なお、バックライト４９は、システム制御部５０により、可動式表示装置４０の状態に応じて点灯と消灯が制御される。また、バックライト４９は、使用者による操作に応じて、点灯と消灯が制御される。
【００２５】
システムタイマー５３は、各種制御に用いる時間や、内蔵された時計の時間を計測する計時部である。
電源制御部８０は、電池検出回路、ＤＣ−ＤＣコンバータ、通電するブロックを切り替えるスイッチ回路等により構成される。そして電源制御部８０は、電源部３０の装着の有無、電源部３０の種類、電源部３０の電池残量の検出を行う。また、電源制御部８０は、その検出結果およびシステム制御部５０の指示に基づいてＤＣ−ＤＣコンバータを制御し、必要な電圧を必要な期間、記録媒体２００を含む撮像装置１００の各部へ供給する。
電源部３０は、アルカリ電池やリチウム電池等の一次電池やＮｉＣｄ電池やＮｉＭＨ電池、Ｌｉ電池等の二次電池、ＡＣアダプター等からなる。
記録媒体Ｉ／Ｆ２０は、メモリカードやハードディスク等の記録媒体２００と通信を行うインターフェースである。
記録媒体２００は、撮影された画像を記録するためのメモリカード等の記録媒体であり、半導体メモリや磁気ディスク等から構成される。
【００２６】
ここで、操作部７０に含まれる操作部材について説明する。
モード切り替えダイヤル６０は、システム制御部５０の動作モードを、静止画記録モード、動画記録モード、再生モード等のいずれかに切り替えるための操作部材である。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。システム制御部５０は、使用者によるモード切り替えダイヤル６０の操作に応じて、動作モードを、静止画撮影モードに含まれるこれらのモードのいずれかに直接切り替える。または、システム制御部５０は、使用者によるモード切り替えダイヤル６０の操作によって静止画撮影モードに切り換えた後に、他の操作部材の操作に応じて静止画撮影モードに含まれるこれらのモードのいずれかに切り替えるようにしてもよい。同様に、動画撮影モードにも複数のモードが含まれていてもよい。
【００２７】
シャッターボタン６１は、撮影指示を行うための操作部材である。シャッターボタン６１には、第１のシャッタースイッチ６２と第２のシャッタースイッチ６４とが含まれる。
第１のシャッタースイッチ６２は、撮像装置１００に設けられたシャッターボタン６１の操作途中のいわゆる半押し（撮影準備指示）でＯＮとなる。そして、第１のシャッタースイッチ６２がＯＮになると、第１のシャッタースイッチ信号ＳＷ１を発生する。第１のシャッタースイッチ信号ＳＷ１により、システム制御部５０は、ＡＦ（オートフォーカス）処理、ＡＥ（自動露出）処理、ＡＷＢ（オートホワイトバランス）処理、ＥＦ（フラッシュプリ発光）処理等の動作を開始する。
第２のシャッタースイッチ６４は、シャッターボタン６１の操作完了のいわゆる全押し（撮影指示）でＯＮとなる。そして、第２のシャッタースイッチ６４がＯＮになると、第２のシャッタースイッチ信号ＳＷ２を発生する。システム制御部５０は、第２のシャッタースイッチ信号ＳＷ２により、撮像部２２からの信号読み出しから記録媒体２００に画像データを書き込むまでの一連の撮影処理の動作を開始する。
【００２８】
メイン電子ダイヤル７１は、回転式の操作部材である。使用者は、このメイン電子ダイヤル７１を回すことで、モード切り替えダイヤル６０にて設定されたモードに応じてシャッター速度や絞りなどの設定値の変更等が行える。
電源スイッチ７２は、撮像装置１００の電源のＯＮ及びＯＦＦを切り替える操作部材である。
十字キー７４は、上、下、左、右部分をそれぞれ押し込み可能な操作部材である。
ＳＥＴボタン７５は、押しボタン式の操作部材であり、主に、選択項目の決定などに用いられる。
ＬＶボタン７６は、静止画撮影モードにおいてライブビュー（以下、ＬＶ）のＯＮとＯＦＦを切り替えるボタン式の操作部材である。動画撮影モードにおいては、ＬＶボタン７６は、動画撮影（記録）の開始、停止の指示に用いられる。
拡大ボタン７７は、撮影モードのＬＶ表示において拡大モードのＯＮ、ＯＦＦ、及び拡大モード中の拡大率の変更を行うためのボタン式の操作部材である。また、拡大ボタン７７は、再生モードにおいては、再生画像を拡大する（拡大率を増加させる）ための拡大ボタンとして機能する。再生ボタン７８は、撮影モードと再生モードとを切り替えるボタン式の操作部材である。撮影モード中に再生ボタン７８が押下されると、撮像装置１００の動作モードは再生モードに移行し、記録媒体２００（図３参照）に記録された画像のうち、最新の画像を可動式表示装置４０に表示させることが可能である。
【００２９】
システム制御部５０は、ＬＣＤパネル４１に種々の機能アイコンを表示する。そして、システム制御部５０は、これらの機能アイコンに対する使用者の選択操作を検出すると、操作部７０の各操作部材に、場面ごとに適宜機能を割り当てる。これにより、各種操作部材を各種機能ボタンとして機能させる。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面がＬＣＤパネル４１に表示される。使用者は、ＬＣＤパネル４１に表示されたメニュー画面と、十字キー７４やＳＥＴボタン７５とを用いて、直感的に各種設定を行うことができる。
【００３０】
次に、可動式表示装置４０の動作について説明する。
図４（ａ）は、使用者（撮影者）がファインダー１６に接眼して覗いている状態のタッチパネル４２を示す模式図である。図４（ｂ）は、図４（ａ）に示す状態においてファインダー１６から見える被写体像および測距点３００の例を示す模式図である。
【００３１】
接眼検出部１８は、使用者がファインダー１６を覗いていることを検出すると、検出結果をシステム制御部５０に通知する。システム制御部５０は、この検出結果を接眼検出部１８から受け取ると、可動式表示装置４０のＬＣＤパネル４１が視認不可能な状態にあると判定する（判定部）。そして、システム制御部５０は、可動式表示装置４０のＬＣＤパネル４１に対して、表示の停止を指示する。さらに、システム制御部５０は、ＬＣＤパネル４１が視認不可能な状態にあると判定すると（判定部）、触感発生部４５を作動させ、タッチパネル４２の表面形状を部分的変化させ、凸形状３０１を出現させる（制御部）。
【００３２】
第１実施形態では、触感発生部４５は、ファインダー１６内に表示されるＡＦ測距点に対応する位置にのみ、使用者が感知可能な刺激を発生させる。第１の実施形態では、使用者が感知可能な刺激として、凸形状３０１が適用される。すなわち、ＬＣＤパネル４１の表示領域に対応して区分けされた複数のセルのうち、ファインダー１６内に表示されるＡＦ測距点に対応する位置に設けられたセルを駆動し、タッチパネル４２の表面形状部分的に変形させた凸形状３０１を出現させる。これにより使用者は、凸形状３０１に触れた触感（感知可能な刺激）によって、ＡＦ測距点の位置を認識できる。そして、使用者は、ＡＦ測距点に対応する箇所の凸形状３０１をタッチすることにより、ＡＦ測距点を選択できる。例えば、使用者がタッチパネル４２の凸形状３０１ａをタッチ操作すると、システム制御部５０は、選択された凸形状３０１に対応する測距点３００ａをＡＦ測距点として選択する。そして、ファインダー内表示部２６は、システム制御部５０の指示に従い、ファインダー１６から見える被写体像に測距点３００ａをスーパーインポーズする処理を行い、測距点３００ａが選択されたことが示す。
【００３３】
図５は、タッチパネル４２に部分的に形成される凸形状３０１（感知可能な刺激）の例を示す図であり、図５（ｂ）は図５（ａ）のＶＢ−ＶＢ線断面矢視図である。システム制御部５０は、タッチパネル４２のうち、タッチ操作を受け付ける箇所（以下、「操作受付部」と記す）を、凸形状３０１の上端部３０２（図６においての黒塗りで示す箇所）のみとするように制御する。これにより使用者は、指先の感覚によって凸形状３０１の位置を認識できる。したがって、使用者は、ファインダー１６を覗いた状態、すなわち、タッチパネル４２の操作部を視認できない状態であっても、指先の感覚によって凸形状３０１の位置を認識し、正確かつ直観的にＡＦ測距点を選択することが可能となる。
【００３４】
図６は、凸形状（感知可能な刺激）の変形例を模式的に示す図である。変形例にかかる凸形状として、リング状の凸形状（以下、「リング凸形状３０３」と記す）を示す。なお、図６（ａ）は、変形例にかかる凸形状を出現させた状態における撮像装置１００の背面図である。図６（ｂ）は、図６（ｂ）のＶＩＢ−ＶＩＢ線断面矢視図である。
この例においては、システム制御部５０は、タッチパネル４２に出現させるリング凸形状３０３のうち、リング凸形状３０３に囲まれた中央部３０４（図６（ｂ）中の黒塗り箇所）のみが操作受付部になるように制御する。リング凸形状３０３の内径及び凸量は、操作受付部に不用意にタッチが行われない程度の大きさに設定される。使用者は、タッチ操作の際に、中央部３０４を狙って指を押し込み、リング凸形状３０３または指を変形させて、操作受付部（リング凸形状３０３の中央部４０４）に指を接触させる。これにより、使用者は、タッチパネル４２の操作部を視認不可能な状態であっても、正確かつ直観的にＡＦ測距点の選択が可能となり、不用意なタッチによる誤操作を防ぐことができる。
【００３５】
一方、接眼検出部１８は、使用者がファインダー１６を覗いていることを検出しないと、その検出結果をシステム制御部５０に通知しない。システム制御部５０は、「使用者がファインダー１６を覗いている」という検出結果を受け取らない場合には、可動式表示装置４０のＬＣＤパネル４１が視認可能な状態にあると判定する（判定部）。この場合には、システム制御部５０は、可動式表示装置４０のＬＣＤパネル４１に対して、表示の停止を指示しない。さらに、システム制御部５０によりＬＣＤパネル４１が視認可能な状態にあると判定されると、触感発生部４５は作動せず（または停止し）、タッチパネル４２の表面に凸形状３０１を出現させない。このため、ＬＣＤパネル４１は、その表面が平面状態に保たれる。したがって使用者は、凸形状３０１によってＬＣＤパネル４１の表示が妨げられて見にくくなることがない。さらに、使用者がファインダー１６を覗いていない場合は触感発生部４５が作動しないため、電力消費を抑えることができる。
【００３６】
次に、触感発生部４５の制御について、図７を参照して説明する。図７は、触感発生部４５の制御の処理を示すフローチャートである。
ステップＳ３０１では、接眼検出部１８は、使用者がファインダー１６を覗いているか否かの検出を行う。そして接眼検出部１８は、使用者がファインダーを覗いていることを検出した場合には、その検出結果をシステム制御部５０に通知する。
ステップＳ３０２では、システム制御部５０は判定部として機能し、接眼検出部１８からの通知に応じて、ＬＣＤパネル４１が視認可能な状態にあるか視認不可能な状態にあるかを判定する。具体的には、使用者がファインダー１６に接眼している場合には、ＬＣＤパネル４１が視認不可能な状態にあると判定し、ステップＳ３０３に進む。接眼していない場合には、ＬＣＤパネル４１が視認可能な状態にあると判定し、ステップＳ３０５に進む。
ステップＳ３０３では、システム制御部５０は、ＬＣＤパネル４１の表示を停止させる。そしてステップＳ３０４に進む。
ステップＳ３０４では、システム制御部５０は、触感発生部４５に作動指示を出し、触感発生部４５はシステム制御部５０の作動指示に従って作動する。
一方、ステップＳ３０５では、システム制御部５０は、ＬＣＤパネル４１の表示を行う。既に表示中である場合には、表示を継続する。そしてステップＳ３０６に進む。
ステップＳ３０６では、システム制御部５０は、触感発生部４５に停止指示を出し、触感発生部４５はシステム制御部５０の停止指示にしたがって停止する。なお、すでに停止している場合には、停止状態を維持する。
【００３７】
第１実施形態では、システム制御部５０は、接眼検出部１８の信号によって視認可能な状態であるか視認不可能な状態であるかを判定しているが、この場合に、アイピースシャッター２１が閉じている際には触感発生部４５を作動させないとしてもよい。このような構成によれば、不必要なタイミングで触感発生部４５を作動させないようにできる。したがって、ＬＣＤパネル４１の表示が見にくくなることを防ぐとともに、電力消費を抑えることができる。
【００３８】
また、第１実施形態では、ＬＣＤパネル４１が視認不可能な状態である場合のタッチパネル操作として、ＡＦ測距点の選択を例に示したが、タッチパネル操作はこれに限定されるものではない。例えば、タッチパネル操作として、ＩＳＯ感度、露出、ホワイトバランスなどの変更操作や設定操作であってもよい。これらを直接的に変更や設定できるようにすることにより、ファインダー１６を覗き込んだ状態での操作性を向上させることが可能となる。
【００３９】
さらに、凸形状３０５の形状や出現させる位置は、前述の構成に限定されるものではなく、任意の形状や位置でよい。例えば図８（ａ）に示すように、操作面のタッチパネル４２のグリップ部９０側に、凸形状３０５を出現させてもよい。この場合には、凸形状３０５に、ＩＳＯ感度や露出、ホワイトバランスなどを変更する機能を割り当てることで、右手親指での操作性をより向上させることができる。また、撮影時の撮像装置１００の姿勢に応じて凸形状３０５を配置する位置を変更してもよい。例えば図８（ｂ）に示すように、撮像装置１００に縦位置グリップ１６０が装着され、縦位置に構えられた場合には、システム制御部５０は、縦位置グリップ１６０に近い側に凸形状３０６を出現させてもよい。この場合にも、凸形状３０６に、ＩＳＯ感度や露出、ホワイトバランスなどを変更する機能を割り当てることで、右手親指での操作性をより向上させることができる。このように、凸形状３０５を出現させる位置は限定されるものではなく、操作面の任意の位置に出現させることができる。
【００４０】
さらに、触感発生部４５の作動タイミングは、前述の構成に限定されるものではない。例えば、使用者が手動でＬＣＤパネル４１の表示を停止させた場合や、センサー等により自動でＬＣＤパネル４１の表示が停止した場合において、ＬＣＤパネル４１が視認不可能な状態であると判定されれば、触感発生部４５を作動させてもよい。このような構成によれば、ＬＣＤパネル４１の表示が停止していても、使用者は、タッチパネル４２によって撮像装置１００を操作できる。
【００４１】
また、使用者が手動でＬＣＤパネル４１の表示を停止させた状態や、ＬＣＤパネル４１のバックライト４９を消灯した状態において、タッチパネル４２をタッチボタンとして使用したい場合がある。このような場合に対応するため、システム制御部５０は、使用者によるＬＣＤパネル４１の表示を停止させる操作を検出した場合や、ＬＣＤパネル４１のバックライト４９を消灯させる操作を検出した場合に、ＬＣＤパネル４１が視認不可能な状態であると判定してもよい。そして、システム制御部５０は、ＬＣＤパネル４１の表示の停止やバックライト４９の消灯によりＬＣＤパネル４１が視認不可能な状態と判定した場合に、触感発生部４５を作動させる。このような構成であれば、使用者は、ＬＣＤパネル４１に画像等が表示されていない状態においても、タッチパネル４２の操作受付部の位置を感知して操作を行うことができる。
【００４２】
また、タッチパネル４２が操作不可能な状態である場合に、触感発生部４５を作動させない構成であってもよい。例えば、パネル状態検出部５１は、可動式表示装置４０の開閉状態および位置（すなわち、可動式表示装置４０の収納状態）を検出する。システム制御部５０は、パネル状態検出部５１による可動式表示装置４０収納状態の検出結果に基づいて、可動式表示装置４０のタッチパネルが操作可能な状態にあるか操作不可能な状態にあるかを判定する（判定部）。そして、システム制御部５０は、タッチパネル４２が収納面４４と対向する形で収納されていると検出された場合には、タッチパネル４２が操作不可能な状態にあると判定する。この場合には、システム制御部５０は、触感発生部４５を作動させない。
【００４３】
さらに、ＬＣＤパネル４１が視認可能な状態であると判定される場合に、触感発生部４５を作動させない構成であってもよい。このような場合の例としては、ライブビュー撮影中の場合や、撮影画像をＬＣＤパネル４１で再生している場合（再生モードに設定されている場合）である。このような構成によれば、不必要なタイミングで触感発生部４５を作動させないため、ＬＣＤパネル４１の表示が見にくくなることを防ぐとともに、電力消費を抑えることができる。
【００４４】
（第２実施形態）
次に、第２実施形態について説明する。なお、第１実施形態と共通の構成については同じ符号を付し、説明を省略する。
第２実施形態では、触感発生部４５（図３参照）が、圧電素子（ピエゾ素子）と歪みゲージセンサなどにより構成される。そして、触感発生部４５は、ＬＣＤパネル４１およびタッチパネル４２と一体的に構成される。システム制御部５０は、使用者がファインダー１６を覗いていると判定し、かつ操作受付部またその周辺へのタッチを検出すると、触感発生部４５を作動させる。
【００４５】
ここで、触感発生部４５の構成について説明する。ＬＣＤパネル４１またはタッチパネル４２には、それらに加わる荷重（タッチ操作の押圧力）を検出するための歪みゲージセンサが接着等により設けられる。歪みゲージセンサは、タッチ操作の押圧力に応じてＬＣＤパネル４１またはタッチパネル４２が微少量撓む（歪む）ことを利用して押圧力を検出する。また、ＬＣＤパネル４１またはタッチパネル４２に、振動を発生させる圧電素子（圧電振動子）がそれぞれ接着等を用いて設けられる。システム制御部５０は、圧電素子を任意の振幅及び周波数で振動させることにより、ＬＣＤパネル４１またはタッチパネル４２を屈曲振動させて触感を発生させる。こうして、ＬＣＤパネル４１またはタッチパネル４２にタッチしている使用者の指等に対して、触感を知覚させることができる。さらに、システム制御部５０は、振幅および周波数を様々なパターンでＬＣＤパネル４１またはタッチパネル４２振動させることにより、使用者に様々なパターンの触感を知覚させることができる。
【００４６】
また、システム制御部５０は、タッチパネル４２で検出されたタッチ位置、および歪みゲージセンサで検出した押圧力に基づいて、触感を制御することができる。例えば、システム制御部５０は、操作受付部に対するタッチを検出し、かつ、歪みゲージセンサで所定値以上の押圧力を検出した場合には、周波数が１Ｈｚ程度の振動を発生させる。これによって、あたかも機械的なボタンを押しこんだ際のクリック感のような触感を、使用者に知覚させることができる。さらに、システム制御部５０は、操作受付箇所へのタッチを検出している状態で、所定値以上の押圧力を検出した場合にのみ、割り当てられた機能を実行してもよい。このような構成であると、所定値未満の弱い押圧力で操作受付部に触れただけでは、割り当てられた機能を実行しないようにすることができる。なお、タッチ操作の押圧力を検出するための構成は、上記に構成に限定されない。例えば、歪みゲージセンサを用いずに、押圧力に応じて圧電素子から出力される電圧に基づいて検出しても良い。
【００４７】
これらの触感（感知可能な刺激）を、操作受付部またはその周辺がタッチされた場合に発生させることで、使用者は、ファインダー１６を覗き込んだ状況でも、操作受付部の位置を認識できる。一方、使用者がファインダー１６を覗いていない場合は、触感発生部４５を作動させないため、電力消費を抑えることができる。
【００４８】
また、触感発生部４５は、感知可能な刺激として、電気的な触感（電気的刺激）を発生させるデバイスで構成されてもよい。電気的な触感（電気的刺激）を発生させるための構成として、触感発生部４５は、例えば導電層パネルと絶縁体パネルからなり、導電層に正電荷をチャージできる構成が適用できる。これらの二枚のパネルは、タッチパネル４２と同様に、ＬＣＤパネル４１に重ね合わせて平面的に構成される。そして、使用者が絶縁体パネルを触ると、導電層パネルにチャージされた正電荷によって、使用者に電気的な触感を与えることができる。また、クーロン力により皮膚が引っ張られるような感覚を与えることも可能である。ここで、導電層パネル上の位置ごとに正電荷をチャージするかしないかを選択可能できる。システム制御部５０は、正電荷をチャージする位置を制御することで、使用者に対し、「ゴツゴツ感」「ザラザラ感」等、様々な電気的な触感（電気的刺激）を知覚させることが可能である。
そして、システム制御部５０は、これらの電気的な触感を操作受付箇所またはその周辺において知覚させるように制御する。これにより、使用者は、ファインダー１６を覗き込んだ状況でも、操作受付箇所の位置を認識可能となる。また、システム制御部５０は、使用者がファインダー１６を覗いていない場合は、触感発生部４５を作動させない。このため、電力消費を抑えることができる。
【００４９】
次に、第２実施形態における触感発生部４５の処理の流れについて、図９を参照して説明する。図９は、触感発生部４５の処理の例を示すフローチャートである。
ステップＳ４０１〜Ｓ４０３，Ｓ４０６は、それぞれ、第１実施形態のステップＳ３０１〜Ｓ３０５と同じである（図７参照）。このため、説明を省略する。
ステップＳ４０４では、システム制御部５０は、触感発生箇所がタッチされているかを判定する。タッチされている場合にはステップＳ４０５に進み、タッチされていない場合にはステップＳ４０７に進む。
ステップＳ４０５では、システム制御部５０は、触感発生部４５を作動させる。
ステップＳ４０７では、システム制御部５０は、触感発生部４５を停止させる。
【００５０】
以上、本発明の好ましい実施形態について説明したが、本発明はこれらの実施形態に限定されず、その要旨の範囲内で種々の変形及び変更が可能である。
【００５１】
例えば、前記各実施形態においては、表示制御装置が撮像装置に適用される構成を示したが、本発明の表示制御装置の適用対象は撮像装置に限定されない。本発明の表示制御装置は、実施形態で示した撮像装置のほかに、ヘッドマウントディスプレイ、双眼鏡（デジタルスコープ）、ゲーム機（携帯ゲーム機を含む）、電子辞書、携帯電話（いわゆるスマートフォンを含む）、タブレットＰＣ、携帯型の音楽プレーヤーなどといった、表示装置を有する機器であれば適用できる。要は、本発明は、タッチパネルが設けられた表示装置を有する機器であれば、種類を問わずに適用できる。
【００５２】
この場合、折り畳み式の本体を備える機器（例えば、携帯ゲーム機、電子辞書、携帯電話など）であれば、本体が折り畳まれた状態を「操作受付部が視認不可能な状態」として、触感発生部が作動しないようにする構成が適用できる。また、使用者が装着して（目を接近させて）使用する機器（ヘッドマウントディスプレイや双眼鏡など）であれば、使用者が装着している状態を「操作受付部が視認不可能な状態」として、触感発生部が作動しないようにする構成が適用できる。
【００５３】
さらに、これらの場合において、使用者が手動で表示装置の表示を停止させた状態や、表示装置の光源を消灯した状態において、タッチパネルをタッチボタンとして使用したい場合がある。このような場合に対応するため、使用者による表示装置の表示を停止させる操作を検出した場合や、表示装置の光源を消灯させる操作を検出した場合に、操作受付部が視認不可能な状態であると判定してもよい。そして、表示装置の表示の停止や表示装置の光源の消灯により操作受付部が視認不可能な状態と判定した場合に、触感発生部を作動させる。このような構成であれば、使用者は、表示装置に画像等が表示されていない状態においても、タッチパネルの操作受付部の位置を感知して操作を行うことができる。
【産業上の利用可能性】
【００５４】
本発明は、画像表示パネルとタッチパネルとを有する表示装置を制御する表示制御装置に有効な技術である。そして、本発明によれば、タッチパネルの操作箇所が視認不可能であっても正確に操作でき、表示装置が視認可能な状態では表示の視認性の低下を防止でき、さらに、省電力化を図ることができる。
【符号の説明】
【００５５】
１００：撮像装置
１８：接眼検出部
４０：可動式表示装置
４１：ＬＣＤパネル
４２：タッチパネル
４５：触感発生部
４９：バックライト
【図１】
2015170209.tif 000003
【図２】
2015170209.tif 000004
【図３】
2015170209.tif 000005
【図４】
2015170209.tif 000006
【図５】
2015170209.tif 000007
【図６】
2015170209.tif 000008
【図７】
2015170209.tif 000009
【図８】
2015170209.tif 000010
【図９】
2015170209.tif 000011